(57)【特許請求の範囲】
【請求項１】
所望のデータが複数の所定データ長のフレームによって形成される所定データ長のセクタとして分割されて記録される記録媒体において、
１の前記セクタを形成する前記フレームの数に比して種類の少ない識別パターンを前記各フレームに順次割り当てると共に、
前記各セクタにおける連続する３フレーム以上のフレームを任意に選択した場合に、前記連続する３フレーム以上の先頭のフレーム及び末尾のフレームに割り当てた前記識別パターンの組み合わせが、前記各セクタにおける他の何れかの前記連続する前記３フレーム以上のフレームに対応する数の連続するフレームの先頭のフレーム及び末尾のフレームに割り当てた前記識別パターンの組み合わせと異なるように、前記フレームに前記識別パターンを割り当てた
ことを特徴とする記録媒体。
【請求項２】
前記各セクタにおいて、
連続する２つのフレームを任意に選択した場合に、前記連続する２つのフレームに割り当てた前記識別パターンの組み合わせが、他の何れかの２つの連続するフレームに割り当てた前記識別パターンの組み合わせと異なるように、前記識別パターンを割り当てた
ことを特徴とする請求項１に記載の記録媒体。
【請求項３】
前記連続する３フレーム以上のフレームのフレーム数が３である
ことを特徴とする請求項２に記載の記録媒体。
【請求項４】
前記連続する３フレーム以上のフレームのフレーム数が３であり、
前記識別パターンの種類は、
前記各セクタのフレームの数をｎとしたときに、ｎ1/2〜２ｎ1/2の範囲に設定された
ことを特徴とする請求項２に記載の記録媒体。
【請求項５】
前記連続する３フレーム以上のフレームのフレーム数が３であり、
前記識別パターンの種類は、
前記各セクタのフレームの数をｎとしたときに、（ｎ−１）1/2＋１〜２（（ｎ−１）1/2＋１）の範囲に設定され、
前記識別パターンのうちの１の識別パターンは、前記セクタの特定フレームにのみ割り当てられた
ことを特徴とする請求項２に記載の記録媒体。
【請求項６】
少なくとも前記セクタの先頭フレームには、
他のフレームに配置される識別パターンとは異なる特定の前記識別パターンが割り当てられる
ことを特徴とする請求項１に記載の記録媒体。
【請求項７】
前記セクタを、複数の前記フレームによる複数の小ブロックに分割し、
任意に選択した前記小ブロックに割り当てられる前記識別パターンのうちの少なくとも１種類の識別パターンが、他の小ブロックに割り当てられる前記識別パターンと異なるように、前記識別パターンを割り当てた
ことを特徴とする請求項１に記載の記録媒体。
【請求項８】
所望のデータを複数の所定データ長のフレームによって形成される所定データ長のセクタとして分割して伝送するデータ伝送装置において、
１の前記セクタを形成する前記フレームの数に比して種類の少ない識別パターンを前記各フレームに順次割り当てると共に、
前記各セクタにおける連続する３フレーム以上のフレームを任意に選択した場合に、前記連続する３フレーム以上のフレームの先頭のフレーム及び末尾のフレームに割り当てた前記識別パターンの組み合わせが、前記各セクタにおける他の何れかの前記連続する３フレーム以上のフレームに対応する数の連続するフレームの先頭のフレーム及び末尾のフレームに割り当てた前記識別パターンの組み合わせと異なるように、前記フレームに前記識別パターンを割り当てた
ことを特徴とするデータ伝送装置。
【請求項９】
前記各セクタにおいて、
連続する２つのフレームを任意に選択した場合に、前記連続する２つのフレームに割り当てた前記識別パターンの組み合わせが、他の何れかの２つの連続するフレームに割り当てた前記識別パターンの組み合わせと異なるように、前記識別パターンを割り当てた
ことを特徴とする請求項８に記載のデータ伝送装置。
【請求項１０】
前記連続する３フレーム以上のフレームのフレーム数が３である
ことを特徴とする請求項９に記載のデータ伝送装置。
【請求項１１】
前記連続する３フレーム以上のフレームのフレーム数が３であり、
前記識別パターンの種類は、
前記各セクタのフレームの数をｎとしたときに、ｎ1/2〜２ｎ1/2の範囲に設定された
ことを特徴とする請求項９に記載のデータ伝送装置。
【請求項１２】
前記連続する３フレーム以上のフレームのフレーム数が３であり、
前記識別パターンの種類は、
前記各セクタのフレームの数をｎとしたときに、（ｎ−１）1/2＋１〜２（（ｎ−１）1/2＋１）の範囲に設定され、
前記識別パターンのうちの１の識別パターンは、前記セクタの特定フレームにのみ割り当てられた
ことを特徴とする請求項９に記載のデータ伝送装置。
【請求項１３】
少なくとも前記セクタの先頭フレームには、
他のフレームに配置される識別パターンとは異なる特定の前記識別パターンが割り当てられる
ことを特徴とする請求項８に記載のデータ伝送装置。
【請求項１４】
前記セクタを、それぞれ前記複数のフレームにより形成される複数の小ブロックに分割し、
任意に選択した前記小ブロックに割り当てられる前記識別パターンのうちの少なくとも１種類の識別パターンが、他の小ブロックに割り当てられる前記識別パターンと異なるように、前記識別パターンを割り当てた
ことを特徴とする請求項８に記載のデータ伝送装置。
【請求項１５】
所定個数の前記セクタの前後に、それぞれポストアンブル及びプリアンブルを形成して、前記ポストアンブル、前記所定個数の前記セクタ及び前記プリアンブルを単位にして、前記データを伝送し、
前記データに代えて所定のデータを配列してなる複数フレームと、該複数フレームの各フレームに前記識別データを配置して、前記ポストアンブル及び前記プリアンブルを形成し、
前記プリアンブルの先頭側では、同一種類の前記識別パターンが連続するように、前記識別パターンを配置した
ことを特徴とする請求項８に記載のデータ伝送装置。
【請求項１６】
所定個数の前記セクタの前後に、それぞれポストアンブル及びプリアンブルを形成して、前記ポストアンブル、前記所定個数の前記セクタ及び前記プリアンブルを単位にして、前記データを伝送し、
前記データに代えて所定のデータを配列してなる複数フレームと、該複数フレームの各フレームに前記識別データを配置して、前記ポストアンブル及び前記プリアンブルを形成し、
前記ポストアンブルでは、同一種類の前記識別パターンが連続するように、前記識別パターンを配置した
ことを特徴とする請求項８に記載のデータ伝送装置。
【請求項１７】
複数の所定データ長のフレームによって形成される所定データ長のセクタとして分割されて伝送される所望のデータを受信するデータ受信装置において、
前記セクタは、
１の前記セクタを形成する前記フレームの数に比して種類の少ない識別パターンが前記各フレームに順次割り当てられると共に、
前記各セクタにおける連続する３フレーム以上のフレームを任意に選択した場合に、前記連続する３フレーム以上のフレームの先頭のフレーム及び末尾のフレームに割り当てた前記識別パターンの組み合わせが、前記各セクタにおける他の何れかの前記連続する前記３フレーム以上のフレームに対応する数の連続するフレームの先頭のフレーム及び末尾のフレームに割り当てた前記識別パターンの組み合わせと異なるように、前記フレームに前記識別パターンが割り当てられ、
前記データ受信装置は、
前記連続する３フレーム以上のフレームに割り当てられる前記識別パターンに基づいて、前記各フレームを特定して前記データを受信する
ことを特徴とするデータ受信装置。
【請求項１８】
前記各セクタは、
連続する２つのフレームを任意に選択した場合に、前記連続する２つのフレームに割り当てた前記識別パターンの組み合わせが、他の何れかの２つの連続するフレームに割り当てた前記識別パターンの組み合わせと異なるように、前記識別パターンが割り当てられ、
前記データ受信装置は、
前記連続する３フレーム以上のフレームから得られる前記識別パターンによりフレームを特定するフレーム番号を検出すると共に、
該フレーム番号を検出する毎に、該検出したフレーム番号を、フレーム番号をカウントするカウンタにセットし、
前記カウンタでカウントされる前記フレーム番号に基づいて前記各フレームのデータを受信することにより、
前記連続する３フレーム以上のフレームに割り当てられる前記識別パターンに基づいて、前記各フレームを特定して前記データを受信し、
前記連続する３フレーム以上のフレームで前記識別パターンを検出できなくなると、前記カウンタへの前記フレーム番号のセットを中止し、
前記連続する２つのフレームから前記識別パターンが検出されると、前記連続する２つのフレームから検出される前記識別パターンに基づいて、前記フレーム番号を前記カウンタにセットすることにより、前記連続する２つのフレームに割り当てられる前記識別パターンに基づいて、前記各フレームを特定して前記データを受信する
ことを特徴とする請求項１７に記載のデータ受信装置。
【請求項１９】
前記連続する３フレーム以上のフレームのフレーム数が３である
ことを特徴とする請求項１８に記載のデータ受信装置。
【請求項２０】
所望のデータを複数の所定データ長のフレームによって形成される所定データ長のセクタとして分割して光ディスクに記録する光ディスク装置において、
１の前記セクタを形成する前記フレームの数に比して種類の少ない識別パターンを前記各フレームに順次割り当てると共に、
前記各セクタにおける連続する３フレーム以上のフレームを任意に選択した場合に、前記連続する３フレーム以上のフレームの先頭のフレーム及び末尾のフレームに割り当てた前記識別パターンの組み合わせが、前記各セクタにおける他の何れかの前記連続する前記３フレーム以上のフレームに対応する数の連続するフレームの先頭のフレーム及び末尾のフレームに割り当てた前記識別パターンの組み合わせと異なるように、前記フレームに前記識別パターンを割り当てる
ことを特徴とする光ディスク装置。
【請求項２１】
連続する２つのフレームを任意に選択した場合に、前記連続する２つのフレームに割り当てた前記識別パターンの組み合わせが、他の何れかの２つの連続するフレームに割り当てた前記識別パターンの組み合わせと異なるように、前記識別パターンを割り当てる
ことを特徴とする請求項２０に記載の光ディスク装置。
【請求項２２】
前記連続する３フレーム以上のフレームのフレーム数が３である
ことを特徴とする請求項２１に記載の光ディスク装置。
【請求項２３】
前記連続する３フレーム以上のフレームのフレーム数が３であり、
前記識別パターンの種類は、
前記各セクタのフレームの数をｎとしたときに、ｎ1/2〜２ｎ1/2の範囲に設定された
ことを特徴とする請求項２１に記載の光ディスク装置。
【請求項２４】
前記連続する３フレーム以上のフレームのフレーム数が３であり、
前記識別パターンの種類は、
前記各セクタのフレームの数をｎとしたときに、（ｎ−１）1/2＋１〜２（（ｎ−１）1/2＋１）の範囲に設定され、
前記識別パターンのうちの１の識別パターンは、前記セクタの特定フレームにのみ割り当てられた
ことを特徴とする請求項２１に記載の光ディスク装置。
【請求項２５】
少なくとも前記セクタの先頭フレームには、
他のフレームに配置される識別パターンとは異なる特定の前記識別パターンを割り当てた
ことを特徴とする請求項２０に記載の光ディスク装置。
【請求項２６】
前記セクタを、複数の前記フレームによる複数の小ブロックに分割し、
任意に選択した前記小ブロックに割り当てられる前記識別パターンのうちの少なくとも１種類の識別パターンが、他の小ブロックに割り当てられる前記識別パターンと異なるように、前記識別パターンを割り当てた
ことを特徴とする請求項２０に記載の光ディスク装置。
【請求項２７】
所定個数の前記セクタの前後に、それぞれポストアンブル及びプリアンブルを形成して、前記ポストアンブル、前記所定個数の前記セクタ及び前記プリアンブルを単位にして、前記データを記録し、
前記データに代えて所定のデータを配列してなる複数フレームと、該複数フレームの各フレームに前記識別データを配置して、前記ポストアンブル及び前記プリアンブルを形成し、
前記プリアンブルの先頭側では、同一種類の前記識別パターンが連続するように、前記識別パターンを配置した
ことを特徴とする請求項２０に記載の光ディスク装置。
【請求項２８】
所定個数の前記セクタの前後に、それぞれポストアンブル及びプリアンブルを形成して、前記ポストアンブル、前記所定個数の前記セクタ及び前記プリアンブルを単位にして、前記データを記録し、
前記データに代えて所定のデータを配列してなる複数フレームと、該複数フレームの各フレームに前記識別データを配置して、前記ポストアンブル及び前記プリアンブルを形成し、
前記ポストアンブルでは、同一種類の前記識別パターンが連続するように、前記識別パターンを配置した
ことを特徴とする請求項２０に記載の光ディスク装置。
【請求項２９】
複数の所定データ長のフレームによって形成される所定データ長のセクタとして分割されて光ディスクに記録された所望のデータを再生する光ディスク装置において、
前記セクタは、
１の前記セクタを形成する前記フレームの数に比して種類の少ない識別パターンが前記各フレームに順次割り当てられると共に、
前記各セクタにおける連続する３フレーム以上のフレームを任意に選択した場合に、前記連続する３フレーム以上のフレームの先頭のフレーム及び末尾のフレームに割り当てた前記識別パターンの組み合わせが、前記各セクタにおける他の何れかの前記連続する前記３フレーム以上のフレームに対応する数の連続するフレームの先頭のフレーム及び末尾のフレームに割り当てた前記識別パターンの組み合わせと異なるように、前記フレームに前記識別パターンが割り当てられ、
前記光ディスク装置は、
前記連続する３フレーム以上のフレームに割り当てられる前記識別パターンに基づいて、前記各フレームを特定して前記データを再生する
ことを特徴とする光ディスク装置。
【請求項３０】
前記各セクタは、
連続する２つのフレームを任意に選択した場合に、前記連続する２つのフレームに割り当てた前記識別パターンの組み合わせが、他の何れかの２つの連続するフレームに割り当てた前記識別パターンの組み合わせと異なるように、前記識別パターンが割り当てられ、
前記光ディスク装置は、
前記連続する３フレーム以上のフレームから得られる前記識別パターンによりフレームを特定するフレーム番号を検出すると共に、
該フレーム番号を検出する毎に、該検出したフレーム番号を、フレーム番号をカウントするカウンタにセットし、
前記カウンタでカウントされる前記フレーム番号に基づいて前記各フレームのデータを受信することにより、
前記連続する３フレーム以上のフレームに割り当てられる前記識別パターンに基づいて、前記各フレームを特定して前記データを再生し、
前記連続する３フレーム以上のフレームで前記識別パターンを検出できなくなると、前記カウンタへの前記フレーム番号のセットを中止し、
前記連続する２つのフレームから前記識別パターンが検出されると、前記連続する２つのフレームから検出される前記識別パターンに基づいて、前記フレーム番号を前記カウンタにセットすることにより、前記連続する２つのフレームに割り当てられる前記識別パターンに基づいて、前記各フレームを特定して前記データを再生する
ことを特徴とする請求項２９に記載の光ディスク装置。
【請求項３１】
前記連続する３フレーム以上のフレームの数が３である
ことを特徴とする請求項３０に記載の光ディスク装置。
【発明の詳細な説明】
【０００１】
【発明の属する技術分野】
本発明は、記録媒体、データ伝送装置、データ受信装置及び光ディスク装置に関し、特に所定のブロック単位でビデオデータ等を伝送し、又は光ディスクに記録するシステムに適用することができる。本発明は、少なくとも連続する同期パターンについて、またはこれに加えて１つの同期パターンを間に挟んで連続する同期パターンについて、他の箇所と異なる組み合わせにより同期パターンを割り当てることにより、簡易かつ確実に各フレームを特定できるようにする。
【０００２】
【従来の技術】
従来、光ディスク装置においては、連続するデータ間に同期パターンを介挿することにより、この同期パターンを基準にしてクロックの同期外れを補正し、正しくデータ再生できるようになされている。さらに光ディスク装置では、１セクタを構成するフレーム数に比して数の少ない、複数種類の同期パターンを組み合わせて使用することにより、同期パターンによる冗長度の増大を有効に回避すると共に、これら同期パターンの再生結果に基づいて各フレームを特定できるようになされている。
【０００３】
すなわち、例えばこの種の光ディスク装置でなるＤＶＤ（Digital Versatile Disc）においては、順次入力されるビデオ信号及びオーディオ信号をディジタル信号に変換してディジタルビデオ信号及びディジタルオーディオ信号を生成する。さらに光ディスク装置は、ＭＰＥＧ（Moving Picture Experts Group）に規定のフォーマットによりディジタルビデオ信号をデータ圧縮し、同様にデータ圧縮したディジタルオーディオ信号と多重化した後（以下この多重化したデータをＡＶデータと呼ぶ）、スクランブル処理する。
【０００４】
さらに光ディスク装置は、図１５に示すように、アドレスを示す識別データ等をＡＶデータに付加した後、所定ブロック単位で区切り、各ブロックに誤り訂正符号、プリアンブル（Ｐｒｅ  Ａｍｂｌｅ）、ポストアンブル（Ｐｏｓｔ  Ａｍｂｌｅ）等を付加し、これら各ブロックのデータより１クラスタのデータを生成する。これにより光ディスク装置は、この１クラスタでなる誤り訂正処理のブロックを単位にしてＡＶデータを光ディスクに記録し、また再生する。なおこの図１５においては、フレーム数を符号Ｆｒにより示す。
【０００５】
さらに光ディスク装置は、この１クラスタのデータより１６個のセクタのデータを形成し、さらに図１６に示すように各セクタのデータより２６個のシンクフレームのデータを形成する。ここで各シンクフレームは、９１バイト単位のＡＶデータ等に同期パターンＳＹ０〜ＳＹ７が割り当てられて形成される。
【０００６】
これらＤＶＤにおいて、各シンクフレームは、８種類の同期パターンＳＹ０〜ＳＹ７（以下第１〜第８の同期パターンと呼ぶ）が順次所定順序により割り当てられる。すなわち各セクタにおいては、先頭に、セクタの開始を示す第１の同期パターンＳＹ０が割り当てられ、続いてＩＤデータ等により第１のシンクフレームが形成される。また各セクタにおいては、続いて第６の同期パターンＳＹ５が割り当てられてＡＶデータ等によりシンクフレームが形成される。
【０００７】
さらに各セクタは、残る２４フレームを３つのブロックに区切り、各ブロックの偶数フレームには、それぞれ第６、第７、第８の同期パターンＳＹ５、ＳＹ６、ＳＹ７を割り当てる。また各ブロックの奇数フレームには、第２〜第５の同期パターンＳＹ１〜ＳＹ４を順次割り当てる。
【０００８】
これによりＤＶＤでは、偶数フレームの同期パターンＳＹ５、ＳＹ６、ＳＹ７により各セクタの前半ブロック、中央のブロック、後半のブロックか否か判定し、さらに奇数フレームの同期パターンＳＹ０〜ＳＹ４により各ブロックの何れのフレームかを判定できるようになされ、この判定結果に基づいて順次再生されるデータを復調できるようになされている。
【０００９】
かくするにつき、この種の光ディスク装置においては、シークにより各セクタの途中のフレームよりデータが再生される場合がある。また傷等により同期が外れ、途中のフレームを正しく再生できない場合がある。これにより光ディスク装置は、同期パターンの再生結果に基づいて、セクタの途中のフレームよりデータが再生される場合、途中のフレームを正しく再生できない場合にあっても、順次再生される各フレームのデータを正しく配列して再生結果を出力できるようになされている。
【００１０】
【発明が解決しようとする課題】
ところでこのようにして同期パターンＳＹ０〜ＳＹ７を割り当てる場合、矢印Ａにより示すように、各セクタの第２フレームより第３フレームのデータを再生する場合、第６及び第２の同期パターンＳＹ５及びＳＹ１が連続する。また矢印Ｂにより示すように、第１０フレームより第１１フレームのデータを再生する場合にも、同様に、第６及び第２の同期パターンＳＹ５及びＳＹ１が連続する。
【００１１】
従ってこの同期パターンＳＹ０〜ＳＹ７の配列においては、第６及び第２の同期パターンＳＹ５及びＳＹ１が連続した場合に、この第６及び第２の同期パターンＳＹ５及びＳＹ１だけではフレームを特定することが困難で、結局、続く同期パターンが検出されるまで、フレームを正しく判別することが困難になる。すなわち正しくフレームを特定するのに、時間を要するようになる。
【００１２】
また偶数フレーム、奇数フレーム、偶数フレームで連続する同期パターンのうち、奇数フレームの同期パターンを正しく再生できなかった場合、各セクタの前半ブロック、中央のブロック、後半のブロックの何れかであることは特定できるものの、各ブロックの何れのフレームかは特定困難な問題があり、この場合も続く同期パターンが検出されるまで、フレームを正しく判別することが困難になる。
【００１３】
すなわち例えば第６、第２、第６の同期パターンＳＹ５、ＳＹ１、ＳＹ５が連続する場合に、この第２の同期パターンＳＹ１を正しく再生できない場合、この図１６においては、第６、第２、第６の同期パターンＳＹ５、ＳＹ１、ＳＹ５が連続する場合、第６、第３、第６の同期パターンＳＹ５、ＳＹ２、ＳＹ５が連続する場合、第６、第４、第６の同期パターンＳＹ５、ＳＹ３、ＳＹ５が連続する場合、第６、第５、第６の同期パターンＳＹ５、ＳＹ４、ＳＹ５が連続する場合の何れか判別困難になる。
【００１４】
また連続する３個の同期パターンを検出できた場合でも、何れかの同期パターンを誤検出した場合には、結局正しいフレームを特定できず、この場合も続く同期パターンが検出されるまで、フレームを正しく判別することが困難になる。
【００１５】
この場合各シンクフレームにそれぞれ固有の同期パターンを割り当てる方法も考えられるが、このようにすると同期パターンのビット長をその分長くする必要があり、同期パターンにより冗長度が増大する問題がある。
【００１６】
本発明は以上の点を考慮してなされたもので、簡易かつ確実にフレームを特定することができる記録媒体、データ伝送装置、データ受信装置及び光ディスク装置を提案しようとするものである。
【００１７】
【課題を解決するための手段】
かかる課題を解決するため本発明においては、記録媒体、データ伝送装置、光ディスク装置において、１のブロックを形成するフレームの数に比して種類の少ない識別パターンを各フレームに順次割り当て、各ブロックにおいて、連続するフレームを任意に選択した場合に、この連続するフレームに割り当てた識別パターンの組み合わせが、他の何れかの連続するフレームに割り当てた識別パターンの組み合わせと異なるように、識別パターンを割り当てる。
【００１８】
またこのとき連続する３つのフレームを任意に選択した場合に、この連続する３つのフレームの先頭のフレーム及び末尾のフレームに割り当てた識別パターンの組み合わせが、他の何れかの３つの連続するフレームの先頭のフレーム及び末尾のフレームに割り当てた識別パターンの組み合わせと異なるように、識別パターンを割り当てる。
【００１９】
さらにこのように設定されたデータのデータ受信装置、光ディスク装置において、連続する２フレームの識別パターンに基づいて各フレームを特定し、又は連続する３フレームの識別パターンに基づいて各フレームを特定する。
【００２０】
１のブロックを形成するフレームの数に比して種類の少ない識別パターンを各フレームに順次割り当て、冗長度の増大を有効に回避してシンクフレームを特定する場合であっても、各ブロックにおいて、連続するフレームを任意に選択した場合に、この連続するフレームに割り当てた識別パターンの組み合わせが、他の何れかの連続するフレームに割り当てた識別パターンの組み合わせと異なるように、識別パターンを割り当てるようにすれば、連続する２つの識別パターンにより各フレームを特定することができる。
【００２１】
またこのとき連続する３つのフレームを任意に選択した場合に、この連続する３つのフレームの先頭のフレーム及び末尾のフレームに割り当てた識別パターンの組み合わせが、他の何れかの３つの連続するフレームの先頭のフレーム及び末尾のフレームに割り当てた識別パターンの組み合わせと異なるように、識別パターンを割り当てるようにすれば、３つの連続する同期パターンのうちの何れかの識別パターンを正しく検出できない場合でも、残りの識別パターンにより各フレームを正しく特定することができる。
【００２２】
これによりこのように設定されたデータのデータ受信装置、光ディスク装置において、連続する２つのフレームの識別パターンに基づいて各フレームを特定すれば、各フレームを正しく特定することができる。また連続する３つのフレームの識別パターンに基づいて各フレームを特定すれば、識別データを正しく検出困難な場合でも、各フレームを正しく特定することができる。
【００２３】
【発明の実施の形態】
以下、適宜図面を参照しながら本発明の実施の形態を詳述する。
【００２４】
（１）第１の実施の形態
図２は、本発明の第１の実施の形態に係る光ディスク装置を示すブロック図である。この光ディスク装置１は、光ディスク２にＡＶデータＤ１を記録し、またこの光ディスク２に記録されたＡＶデータＤ１を再生して出力する。
【００２５】
すなわち光ディスク装置１は、記録時、ビデオ信号及びオーディオ信号をディジタルビデオ信号及びディジタルオーディオ信号に変換した後、ディジタルビデオ信号をＭＰＥＧ（Moving Picture Experts Group）に規定のフォーマットによりデータ圧縮する。さらに光ディスク装置１は、同様にデータ圧縮したディジタルオーディオ信号とディジタルビデオ信号を所定のパケット形式により多重化してＡＶデータＤ１を生成する。また光ディスク装置１は、再生時、これとは逆に、光ディスク２より得られるＡＶデータをディジタルビデオ信号及びディジタルオーディオ信号に分離した後、元のアナログ信号に変換して出力する。
【００２６】
ここで光ディスク２は、光磁気ディスクでなり、情報記録面に形成されたプリグルーブを基準にしてスピンドルモータ３により所定の回転速度で回転し、さらにトラッキング制御される。
【００２７】
この光ディスク装置１において、バッファ４は、大容量のＤＲＡＭにより構成され、記録時、順次入力されるＡＶデータを一時蓄積し、クラスタを構成する所定ブロック単位で出力する。ＥＤＣエンコード部５は、このバッファ４より出力されるＡＶデータに対して所定の誤り検出符号（ＥＤＣ：Error Detecting Code) を付加して出力する。スクランブル回路６は、ＥＤＣエンコード部５より出力されるＡＶデータ、誤り検出符号をスクランブル処理して出力する。ＩＤエンコード部７は、スクランブル回路６の出力データに対して、図１６について上述したＩＤデータを順次付加して出力する。
【００２８】
メモリ８は、このＩＤエンコード部７の出力データ、この出力データに基づいてＥＣＣエンコード部９により生成された誤り訂正符号（ＥＣＣ：Error Correcting Code)、同期パターンのデータを一時保持し、所定順序により変調部１０に出力する。
【００２９】
ＥＣＣエンコード部９は、メモリ８に保持されたＡＶデータについて、積符号形式の誤り訂正符号を生成して出力する。このときＥＣＣエンコード部９は、内蔵のメモリより同期パターンＳＹのデータを所定のタイミングによりメモリ８に出力する。これにより光ディスク装置１では、この光ディスク装置１について規定されたクラスタ構造によるデータをメモリ８に保持する。ここで光ディスク装置１では、１クラスタのデータより１６個のセクタのデータを形成し、さらに各セクタのデータより２６個のシンクフレームを形成する。
【００３０】
各シンクフレームは、それぞれ図３に示す８種類の同期パターンＳＹ０〜ＳＹ７が選択的に割り当てられる。ここで各同期パターンＳＹ０〜ＳＹ７は、ＰＬＬ回路の同期に適し、それぞれ値が異なり、かつ他の部分では発生しない論理パターンのデータが割り当てられる。またフレームシンクの数に比して少ない種類により構成され、これによりこの同期パターンを割り当てることによる冗長度の増大を低減する。
【００３１】
メモリ８は、図示しない制御回路によるアドレス制御により、図１に示すフォーマットでＡＶデータ、誤り訂正符号、同期パターンＳＹ０〜ＳＹ７を出力する。ここでメモリ８は、１セクタの１部について、図４に同期パターンの配列を示すように、連続するシンクフレーム間では、１のセクタ内で、同一の組み合わせによる同期パターンが発生しないように、すなわち連続するフレームを任意に選択した場合に、この連続するフレームに割り当てた同期パターンの組み合わせが、他の何れかの連続するフレームに割り当てた同期パターンの組み合わせと異なるように、順次保持したデータを出力する。これによりメモリ８は、連続する同期パターンを正しく再生できた場合には、連続する２つの同期パターンによりシンクフレームを特定できるようにする。
【００３２】
さらに図５に示すように、メモリ８は、１つの同期パターンを間に挟んだ前後の同期パターンにおいても、１のセクタ内で、同一の組み合わせによる同期パターンが発生しないように、すなわち連続する３つのフレームを任意に選択した場合に、この連続する３つのフレームの先頭のフレーム及び末尾のフレームに割り当てた同期パターンの組み合わせが、他の何れかの３つの連続するフレームの先頭のフレーム及び末尾のフレームに割り当てた同期パターンの組み合わせと異なるように、保持したデータを出力する。これによりメモリ８は、連続する３つの同期パターンのうち、間に挟まれた同期パターンを正しく再生できない場合でも、また誤って再生した場合でも、前後の同期パターンによりシンクフレームを特定できるようにする。
【００３３】
かくするにつき、このように連続する同期パターンにおいて、また１つの同期パターンを間に挟んだ前後の同期パターンにおいて、１のセクタ内で、同一の組み合わせによる同期パターンが発生しないようにすれば、４つの連続する同期パターンについても、１のセクタ内で、同一の組み合わせによる同期パターンが発生しないようになる。
【００３４】
これにより連続する３フレームの同期パターンによっても、シンクフレームを特定することができ、特定箇所で連続する２以上の同期パターンを正しく検出できない場合でも、他の箇所の同期パターンによりフレームシンクを特定することができる。また連続する４フレームの同期パターンにより、何れかの同期パターンを誤検出した場合でも、この誤検出した同期パターンを特定して、かつフレームシンクを正しく特定することができる。
【００３５】
変調部１０は、このように同期パターンを間に挟んで所定順序により出力されるメモリ８の出力データを受け、この出力データを例えばＥＦＭ（eight to fourteen ）変調して出力する。磁界変調ドライバ１１は、この変調部１０の出力データにより変調コイル１２を駆動する。これにより光ディスク装置１は、光ピックアップ１３によるレーザービーム照射位置に変調磁界を印加し、ＡＶデータを熱磁気記録する。
【００３６】
かくするにつき光ピックアップ１３は、光ディスク２を間に挟んで、変調コイル１２と対向するように保持され、所定のスレッド機能に光ディスク２の半径方向に移動し、光ディスク装置１では、これによりシークし得るようになされている。光ピックアップ１３は、光ディスク２にレーザービームを照射し、その戻り光を受光することにより、戻り光の偏光面に応じて信号レベルが変化する再生信号ＭＯ、トラッキングエラー量に応じて信号レベルが変化するトラッキングエラー信号、フォーカスエラー量に応じて信号レベルが変化するフォーカスエラー信号、プリグルーブの蛇行に応じて信号レベルが変化するウォウブル信号を出力する。
【００３７】
光ディスク装置１では、これらトラッキングエラー信号及びフォーカスエラー信号により光ピックアップ１３をトラッキング制御、フォーカス制御する。またウォウブル信号を基準にしてスピンドル制御する。さらに光ピックアップ１３は、記録時、間欠的にレーザービームの光量を立ち上げる。
【００３８】
復調部１４は、再生時、再生信号ＭＯよりクロックを生成し、このクロックを基準にして再生信号ＭＯの処理に必要な各種基準信号を生成する。さらに復調部１４は、再生信号を２値化して再生データを生成し、この再生データを復号して復号データＤ１を出力する。メモリ１５は、この復号データＤ１を一時保持して出力する。ＥＣＣデコード部１６は、メモリ１５に保持された復号データＤ１を、この復号データＤ１に付加された誤り訂正符号により誤り訂正処理する。
【００３９】
ＩＤデコード部１７は、メモリ１５より復号データを受け、この復号データに付加されたＩＤデータを検出する。デスクランブル回路１８は、ＩＤデコード部１７の検出結果を基準にして復号データの配列を変化させることにより、復号データをデスクランブル処理して出力する。ＥＤＣデコード部１９は、デスクランブル回路１８の出力データを受け、このデータに付加された誤り検出符号により誤り検出処理し、正しく再生されてなるＡＶデータを選択的に出力する。バッファ２０は、このＡＶデータを一時保持して出力する。
【００４０】
図６は、復調部１４を詳細に示すブロック図である。復調部１４は、光ピックアップ１３より出力される再生信号ＭＯを受け、図示しない等化回路により波形等化する。２値化回路２５は、この波形等化回路より出力される再生信号ＭＯを２値化し、２値化信号Ｓ１を出力する。ＰＬＬ回路２６は、この２値化信号Ｓ１を基準にしてクロックＣＫを再生する。カウンタ２７は、リングカウンタでなり、同期パターン検出回路２８より出力されるタイミング信号を基準にしてクロックＣＫをカウントすることにより、同期パターンのタイミングで信号レベルが立ち上がるフレーム同期信号ＦＣＫを出力する。
【００４１】
シフトレジスタ２９は、クロックＣＫにより２値化信号Ｓ１を順次ラッチして出力する。同期パターン検出回路２８は、シフトレジスタ２９より同期パターンに対応したビット数によるパラレルデータを入力する。さらに同期パターン検出回路２８は、このパラレルデータを基準にして内蔵のメモリをアクセスし、このメモリの出力データをカウンタ２７、遅延回路（Ｄ）３０Ａに出力する。
【００４２】
これにより同期パターン検出回路２８は、シフトレジスタ２９より出力されるパラレルデータに同期パターンが現れると、カウンタ２７をリセットする。またこのパラレルデータに同期パターンが現れると、この同期パターンの種類に対応する数値データを遅延回路３０Ａに出力し、パラレルデータに同期パターンが現れない場合、エラーを示す所定の数値データを遅延回路３０Ａに出力する。
【００４３】
遅延回路３０Ａ〜３０Ｃは、直列接続され、同期パターン検出回路２８の出力データをフレーム同期信号ＦＣＫのタイミングにより一端に入力すると共に、この出力データをフレーム同期信号ＦＣＫのタイミングにより順次転送する。
【００４４】
フレーム番号デコーダ３１は、各遅延回路３０Ａ〜３０Ｃの出力データＤＳＹ１〜ＤＳＹ３を入力し、遅延回路３０Ａの出力データＤＳＹ１に対応するシンクフレームの番号を検出する。フレームカウンタ３２は、このフレーム番号デコーダ３１で検出されたフレーム番号を基準にしてフレーム同期信号ＦＣＫをカウントするリングカウンタでなり、遅延回路３０Ａの出力データＤＳＹ１に対応するシンクフレームの番号を順次メモリ制御回路３３に出力する。
【００４５】
すなわちフレーム番号デコーダ３１は、３つの出力データＤＳＹ１〜ＤＳＹ３により内蔵のメモリをアクセスすることにより、図１の配列順序に従って、同期パターンＤＳＹ１の割り当てられたシンクフレームの番号を検出する。また何れかの同期パターンを正しく検出できない場合には、シンクフレームを特定できないことにより、この場合エラー判定する。さらにフレーム番号デコーダ３１は、フレーム番号を検出できた場合、このフレーム番号をフレームカウンタ３２にロードする。
【００４６】
これによりフレーム番号デコーダ３１は、連続する同期パターンを正しく検出している場合、フレームカウンタ３２によるカウント値と値の等しいシンクフレームの番号を検出し、この検出した番号によるフレーム番号を出力するようにフレームカウンタ３２を制御する。
【００４７】
これに対してこの図１について上述した同期パターンの配列において、シーク、デトラック、傷等によりそれまで正しく検出できていた同期パターンを正しく検出できなくなると、この場合はフレーム番号デコーダ３１において、連続する３つの同期パターンからはシンクフレームの番号を特定できなくなり、エラーの判定結果が得られることになる。これによりフレーム番号デコーダ３１は、この場合エラーの判定結果が得られることにより、フレームカウンタ３２へのロードを中止し、フレームカウンタ３２によるカウント値をメモリ制御回路３３に出力することになる。
【００４８】
これに対してシークの完了、デトラックからの復帰等により、正しく検出できなかった同期パターンを正しく検出できるようになると、始めのシンクフレームにおいては遅延回路３０Ａより正しい同期パターンのデータＤＳＹ１が出力され、続いてシンクフレームで遅延回路３０Ｂ、３０Ｃより正しい同期パターンのデータＤＳＹ２、ＤＳＹ３が出力されるようになる。これによりフレーム番号デコーダ３１は、３つの同期パターンのデータＤＳＹ１〜ＤＳＹ３よりエラーの検出結果が得られるようになると、同期パターンのデータＤＳＹ１、ＤＳＹ２をアドレスにして内蔵のメモリをアクセスし、これにより連続する２つの同期パターンよりシンクフレームの番号を検出し、また正しく検出できない場合、エラー判定する。
【００４９】
さらにこのようにして２つの同期パターンよりシンクフレームの番号を検出する場合、連続する同期パターンを誤検出した場合も考えられることにより、フレーム番号デコーダ３１は、続くシンクフレームにおいて、２つの同期パターンより検出されるフレーム番号との間で連続性を検出し、同時に３つの同期パターンより検出されるフレーム番号との間で連続性を検出する。この連続性が所定数のシンクフレームについて、正しく検出されると、フレーム番号デコーダ３１は、３つの同期パターンより検出されるフレーム番号について、それまで中止していたフレームカウンタ３２へのロードを開始する。
【００５０】
メモリ制御回路３３は、このシンクフレームの番号より、メモリ１５のアドレスを制御する。復号回路３４は、シフトレジスタ２９より出力される再生データを復号し、復号データＤ１を出力する。
【００５１】
以上の構成において、この光ディスク装置１（図２）において、順次入力されるビデオ信号及びオーディオ信号は、それぞれデータ圧縮された後、多重化処理され、これによりＡＶデータＤ１が生成される。このＡＶデータＤ１は、バッファ４を介してクラスタ単位でＥＤＣエンコード部５に入力され、ここで順次誤り検出符号が付加される。さらに続くスクランブル回路６においてスクランブル処理された後、ＩＤエンコード部７によりセクタ単位でクラスタ番号、セクタ番号を示すＩＤデータが付加され、メモリ８に保持される。ここでＡＶデータＤ１は、ＥＣＣエンコード部９により積符号形式の誤り訂正符号が付加された後、変調部１０において変調信号に変換され、この変調信号に応じて磁界変調ドライバ１１により変調コイル１２が駆動されることにより光ディスク２にクラスタ単位で熱磁気記録される。
【００５２】
このようにして光ディスク２に記録される際に、ＡＶデータＤ１は、メモリ１５において、ＥＣＣエンコード部９によりシンクフレーム単位で８種類の同期パターンが選択的に付加され、順次所定の配列順序で変調部１０に出力される（図１）。
【００５３】
すなわちＡＶデータＤ１は、１のセクタ内で、同一の組み合わせによる同期パターンが連続しないように、すなわち連続するフレームを任意に選択した場合に、この連続するフレームに割り当てた同期パターンの組み合わせが、他の何れかの連続するフレームに割り当てた同期パターンの組み合わせと異なるように、同期パターンが割り当てられる。
【００５４】
また１つの同期パターンを間に挟んだ前後の同期パターンにおいても、１のセクタ内で、同一の組み合わせによる同期パターンが発生しないように、すなわち連続する３つのフレームを任意に選択した場合に、この連続する３つのフレームの先頭のフレーム及び末尾のフレームに割り当てた同期パターンの組み合わせが、他の何れかの３つの連続するフレームの先頭のフレーム及び末尾のフレームに割り当てた同期パターンの組み合わせと異なるように、保持したデータを出力される。
【００５５】
これらによりＡＶデータは、１のセクタ内で、任意に選択した連続する３つのフレームに割り当てた同期パターンの組み合わせが、他の連続する３つのフレームに割り当てた同期パターンの組み合わせと異なるように、保持される。また同様に、連続した４つのフレームに割り当てた同期パターンの組み合わせが、同様に選択した他の連続した４つのフレームに割り当てた同期パターンの組み合わせと異なるように、保持される。
【００５６】
これに対して再生時、光ディスク装置１では、光ディスク２にレーザービームを照射して得られる戻り光より、この戻り光の偏光面に応じて信号レベルが変化する再生信号ＭＯが得られ、この再生信号ＭＯが復調部１４において復号データＤ１に変換される。さらにこの復号データＤ１が、メモリ１５に一時格納され、ＥＣＣデコード部１６により誤り訂正処理された後、ＩＤデコード部１７によりＩＤデータが復調され、このＩＤデータを基準にしてデスクランブル回路１８によりデスクランブル処理される。これにより光ディスク２に記録されたＡＶデータＤ１は、元の配列により光ディスク２より再生され、ＥＤＣデコード部１９により誤り検出処理され、元のアナログ信号により出力される。
【００５７】
このようにして処理されるにつき、再生信号ＭＯは（図６）、復調部１４において、２値化回路２５により２値化信号Ｓ１に変換された後、ＰＬＬ回路２６に入力され、ここで同期パターン等を基準にしてクロックＣＫが再生される。２値化信号Ｓ１は、この再生されたクロックＣＫによりシフトレジスタ２９に入力されて順次転送され、これにより再生データが復調される。さらにこの再生データが復号回路３４において処理され、復号データＤ１が生成される。
【００５８】
この一連の処理と並列に、シフトレジスタ２９より所定ビットのパラレルデータが同期パターン検出回路２８に入力され、このパラレルデータに同期パターンが現れるタイミングが検出される。さらに同期パターンの周期で順次循環的にクロックＣＫをカウントするカウンタ２７が、この同期パターン検出回路２８によるタイミング検出結果によりリセットされ、これにより同期パターンの発生周期で信号レベルが立ち上がるフレーム同期信号ＦＣＫが再生される。
【００５９】
さらに同期パターン検出回路２８において、パラレルデータに現れた同期パターンの種類が識別され、その識別結果がフレーム同期信号ＦＣＫにより動作する遅延回路３０Ａ、３０Ｂ、３０Ｄを順次転送される。これにより連続する３シンクフレームについて、同期パターンの識別結果が３つの遅延回路３０Ａ、３０Ｂ、３０Ｄに保持され、この３つの同期パターンの識別結果がフレーム番号デコーダ３１に入力される。
【００６０】
光ディスク装置１では、このフレーム番号デコーダ３１において、これら３つの識別結果により内蔵のメモリがアクセスされ、図１に示した関係に従って同期パターンＤＳＹ１に対応するシンクフレームの番号が検出される。さらにこの検出したシンクフレームの番号がフレームカウンタ３２にセットされ、フレーム同期信号ＦＣＫにより順次インクリメントされることにより、復号回路３４の出力データＤ１に対応するシンクフレームの番号が順次検出され、この検出された番号によりメモリ制御回路３３のアドレス制御が実行される。これにより光ディスク装置１では、同期パターンを基準にして誤り訂正処理等が実行される。
【００６１】
この同期パターンの処理において、デトラック、シーク等により同期パターンを正しく検出できなくなると、同期パターン検出回路２８より同期パターンのデータに代えてエラー判定結果が出力される。また同期パターンを正しく検出できない場合には、同期パターン検出回路２８より出力される同期パターンのデータに誤りが発生することになる。
【００６２】
この場合フレーム番号デコーダ３１においては、３つの同期パターンの何れかにおいてエラー判定結果が得られ、又は同期パターンが誤検出されていることになる。この実施の形態においては、連続する同期パターンについては同一の組み合わせが１セクタ内で存在しないことにより、また１つの同期パターンを間に挟んだ前後の同期パターンにおいても、同一の組み合わせが存在しないことにより、フレーム番号デコーダ３１においては、エラー判定結果が入力された場合でも、また同期パターンが誤検出された場合でも、結局、シンクフレームの番号を特定困難になる。これにより光ディスク装置１では、フレームカウンタへのフレーム番号のロードが中止され、フレームカウンタ３２によりフレーム同期信号ＦＣＫをカウントして得られるフレーム番号によりメモリ１５のアドレス制御が実行される。
【００６３】
この状態でデトラックより復帰すると、またシークが完了すると、遅延回路３０Ａ、３０Ｂ、３０Ｃより順次正しい同期パターンのデータが出力されることにより、光ディスク装置１では、始めに連続する２つの同期パターンより図１の関係に従ってシンクフレームの番号が検出される。かくするにつきこの実施の形態では、連続する２つの同期パターンの組み合わせについては、１つのセクタ内で同一の組み合わせが存在しないことにより、光ディスク装置１においては、正しい同期パターンの再生が開始されると、速やかにシンクフレームを特定することができる。
【００６４】
さらにこのフレーム番号の検出が所定フレームだけ継続され、連続して検出されるフレーム番号の間で連続性が監視され、これにより同期パターンの誤検出が有効に回避される。また３つの連続する同期パターンによってもシンクフレームの番号が検出され、このシンクフレームの番号との間でも連続性が監視される。ここで所定フレーム数だけ正しい順序でシンクフレームが検出されると、光ディスク装置１では、このシンクフレームの番号がフレームカウンタ３２にセットされ、これによりデトラック、傷等による場合は、元のシンク番号より継続したシンク番号によりメモリ１５のアドレス制御が実行される。またシーク、トラックジャンプによる場合は、シーク先、トラックジャンプ先のフレーム番号によりメモリ１５のアドレス制御が実行される。
【００６５】
かくするにつき、この実施の形態においては、連続する２つの同期パターンについてだけでなく、１つの同期パターンを間に挟んだ連続する２つの同期パターンについても、１つのセクタ内においては、同一の組み合わせが存在しないようにしたことにより、この１つの同期パターンを間に挟んだ連続する２つの同期パターンよっても、シンクフレームを特定することができる。すなわち３つの連続する同期パターンにおいて、間の同期パターンを誤検出した場合でも、シンクフレームを簡易かつ正しく特定することができる。従って必要に応じて上述した３つの連続する同期パターン、連続する２つの同期パターンによるシンクフレームの特定に代えて、又は加えて、この１つの同期パターンを間に挟んだ連続する２つの同期パターンよりシンクフレームを特定しても、確実にシンクフレームを特定することができる。
【００６６】
また連続する４つの同期パターンによりシンクフレームを特定する場合には、何れかの同期パターンを誤検出した場合に、この誤検出した同期パターンを特定し、かつシンクフレームを正しく特定することができる。
【００６７】
以上の構成によれば、シンクフレームの数に比して種類の少ない同期パターンを割り当てて各シンクフレームを特定するにつき、シンクフレームにより構成される各セクタにおいて、連続するフレームを任意に選択した場合に、この連続するフレームに割り当てた同期パターンの組み合わせが、他の何れかの連続するフレームに割り当てた同期パターンの組み合わせと異なるように設定したことにより、連続する２つの同期パターンにより正しくシンクフレームを特定することができ、これにより簡易かつ確実に各フレームを特定することができる。
【００６８】
またこれに加えて、各セクタにおいて、連続する３つのフレームを任意に選択した場合に、この連続する３つのフレームの先頭のフレーム及び末尾のフレームに割り当てた同期パターンの組み合わせが、他の何れかの３つの連続するフレームの先頭のフレーム及び末尾のフレームに割り当てた同期パターンの組み合わせと異なるように設定したことにより、必要に応じてこの先頭のフレーム及び末尾のフレームに割り当てた同期パターンの組み合わせにより、簡易かつ確実に各フレームを特定することができる。
【００６９】
さらに必要に応じて連続する４つのシンクフレームについて、同期パターンを監視することにより、この４つの同期パターンの何れかを誤検出した場合でも、この誤検出した同期パターンを特定し、かつ各フレームを正しく特定することができる。
【００７０】
（２）第２の実施の形態
図７は、第２の実施の形態に係る同期パターンの配列を示す図表である。この実施の形態では、図２について上述した光ディスク装置１において、図１について上述した配列による同期パターンに代えて、この図７に示す同期パターンの配列によりＡＶデータを記録する。
【００７１】
ここでこの配列においては、１のセクタを構成する２６フレームに対して９種類の同期パターンＳＹ０〜ＳＹ８を割り当てる。また第１フレームにだけ、セクタの開始を示す第１の同期パターンＳＹ０を配置し、これによりこの第１の同期パターンＳＹ０によりセクタの先頭を特定できるようにする。
【００７２】
さらに１のセクタにおいて、連続するフレームを任意に選択した場合に、この連続するフレームに割り当てた同期パターンの組み合わせが、他の何れかの連続するフレームに割り当てた同期パターンの組み合わせと異なるように設定する。
【００７３】
さらに１のセクタにおいて、連続する３つのフレームを任意に選択した場合に、この連続する３つのフレームの先頭のフレーム及び末尾のフレームに割り当てた同期パターンの組み合わせが、他の何れかの３つの連続するフレームの先頭のフレーム及び末尾のフレームに割り当てた同期パターンの組み合わせと異なるように設定する。
【００７４】
図７に示すように同期パターンを配置しても、第１の実施の形態と同様の効果を得ることができる。またこの場合、第１フレームにだけ、セクタの開始を示す第１の同期パターンＳＹ０を配置したことにより、セクタ間の区切りについても簡易かつ確実に検出することができ、例えばこのセクタの区切りを有効に利用してさらに一段と簡易かつ確実にシンクフレームを特定することができる。
【００７５】
（３）第３の実施の形態
図８は、第３の実施の形態に係る同期パターンの配列を示す図表である。この実施の形態では、図２について上述した光ディスク装置１において、図１について上述した配列による同期パターンに代えて、この図８に示す同期パターンの配列によりＡＶデータを記録する。
【００７６】
ここでこの配列においては、１のセクタを構成する２６フレームに対して８種類の同期パターンＳＹ０〜ＳＹ７を割り当てる。また第１フレームにだけ、セクタの開始を示す第１の同期パターンＳＹ０を配置し、これによりこの第１の同期パターンＳＹ０によりセクタの先頭を特定できるようにする。
【００７７】
さらに１のセクタにおいて、連続するフレームを任意に選択した場合に、この連続するフレームに割り当てた同期パターンの組み合わせが、他の何れかの連続するフレームに割り当てた同期パターンの組み合わせと異なるように設定する。
【００７８】
また１のセクタにおいて、連続する３つのフレームを任意に選択した場合に、この連続する３つのフレームの先頭のフレーム及び末尾のフレームに割り当てた同期パターンの組み合わせが、他の何れかの３つの連続するフレームの先頭のフレーム及び末尾のフレームに割り当てた同期パターンの組み合わせと異なるように設定する。
【００７９】
図８に示すように同期パターンを配置しても、第２の実施の形態と同様の効果を得ることができる。またこの第２の実施の形態に比して、同期パターンの種類を低減できることにより、その分必要に応じて同期パターンによる冗長度を低減することができる。
【００８０】
（４）第４の実施の形態
図９は、第４の実施の形態に係る同期パターンの配列を示す図表である。この実施の形態においては、図２について上述した光ディスク装置１において、図１について上述した配列による同期パターンに代えて、この図９に示す同期パターンの配列によりＡＶデータを記録する。
【００８１】
ここでこの配列においては、１のセクタを構成する２６フレームに対して６種類の同期パターンＳＹ０〜ＳＹ５を割り当てる。また第１フレームにだけ、セクタの開始を示す第１の同期パターンＳＹ０を配置し、これによりこの第１の同期パターンＳＹ０によりセクタの先頭を特定できるようにする。
【００８２】
さらに１のセクタにおいて、連続するフレームを任意に選択した場合に、この連続するフレームに割り当てた同期パターンの組み合わせが、他の何れかの連続するフレームに割り当てた同期パターンの組み合わせと異なるように設定する。
【００８３】
また１のセクタにおいて、連続する３つのフレームを任意に選択した場合に、この連続する３つのフレームの先頭のフレーム及び末尾のフレームに割り当てた同期パターンの組み合わせが、他の何れかの３つの連続するフレームの先頭のフレーム及び末尾のフレームに割り当てた同期パターンの組み合わせと異なるように設定する。
【００８４】
図９に示す構成によれば、第３の実施の形態と同様の効果に加えて、さらに一段と同期パターンの種類を低減できることにより、その分必要に応じて同期パターンによる冗長度を低減することができる。
【００８５】
（５）第５の実施の形態
図１０は、本発明の第５の実施の形態に係る同期パターンの配列を示す図表である。この実施の形態においては、図２について上述した光ディスク装置１において、図１について上述した配列による同期パターンに代えて、この図１０に示す同期パターンの配列によりＡＶデータを記録する。
【００８６】
ここでこの配列において、各セクタは、上述の第４の実施の形態に係る配列により同期パターンＳＹ０〜ＳＹ５を配列して形成される。これに対してプリアンブル及びポストアンブルにおいては、ＡＶデータに代えて所定のデータをシンクフレーム単位で割り当て、各シンクフレームに同期パターンを配列して形成される。プリアンブル及びポストアンブルは、それぞれ１０シンクフレーム及び６シンクフレームにより構成される。
【００８７】
このようにして形成されるプリアンブルにおいて、先頭側は、各セクタには配置されない第７の同期パターンＳＹ６が連続するように配置され、これによりクラスタの先頭を簡易に検出できるようになされている。また末尾側に近づくに従って、第６の同期パターンＳＹ６以外の同期パターンＳＹ４、ＳＹ２、……が配置され、これにより第１のセクタに近づく程プリアンブルにおける詳細な位置を特性できるようになされている。
【００８８】
これに対してポストアンブルは、第７の同期パターンＳＹ６が繰り返され、これによりクラスタの末尾を簡易に特定できるようになされている。
【００８９】
図１０に示す構成によれば、各セクタ内においては、第４の実施の形態と同様にシンクフレームを特定でき、またクラスタ単位で、各クラスタの開始位置、終了位置を簡易に特定することができる。
【００９０】
（６）第６の実施の形態
図１１は、本発明の第６の実施の形態に係る同期パターンの配列を示す図表である。この実施の形態においては、図２について上述した光ディスク装置１において、図１について上述した配列による同期パターンに代えて、この図１１に示す同期パターンの配列によりＡＶデータを記録する。
【００９１】
ここでこの配列において、ポストアンブルは、第５の実施の形態と同一の配列により、プリアンブルは、第５の実施の形態に係る配列に類似の配列により形成される。
【００９２】
これに対して各セクタにおいては、連続するフレームを任意に選択した場合に、この連続するフレームに割り当てた同期パターンの組み合わせが、他の何れかの連続するフレームに割り当てた同期パターンの組み合わせと異なるように、また１のセクタにおいて、連続する３つのフレームを任意に選択した場合に、この連続する３つのフレームの先頭のフレーム及び末尾のフレームに割り当てた同期パターンの組み合わせが、他の何れかの３つの連続するフレームの先頭のフレーム及び末尾のフレームに割り当てた同期パターンの組み合わせと異なるように設定される。
【００９３】
さらに各セクタにおては、複数フレームを単位にした小ブロックに分割され、第１フレームから第５フレームまでの小ブロックにおいては、第２、第３、第４の同期パターンＳＹ１、ＳＹ２、ＳＹ３が割り当てられ、第６フレームから第１０フレームまでの小ブロックにおいては、第２、第３、第５の同期パターンＳＹ１、ＳＹ２、ＳＹ４が割り当てられるようになされている。さらに第１１フレームから第１５フレームまでの小ブロックにおいては、第２、第５、第６の同期パターンＳＹ１、ＳＹ４、ＳＹ５が割り当てられ、第１６フレームから第２０フレームまでの小ブロック及び第２１フレームから第２４フレームまでの小ブロックにおいては、それぞれ第４、第５、第６の同期パターンＳＹ３、ＳＹ４、ＳＹ５及び第３、第４、第６の同期パターンＳＹ２、ＳＹ３、ＳＹ５が割り当てられるようになされている。
【００９４】
これにより各セクタにおいては、任意に選択した小ブロックに割り当てられる同期パターンのうちの少なくとも１種類の同期パターンが、他の小ブロックに割り当てられる同期パターンと異なるように、順次同期パターンが割り当てられるようになされている。
【００９５】
図１１に示す構成によれば、第１の実施の形態の構成に加えて、各セクタにおいては、任意に選択した小ブロックに割り当てられる同期パターンのうちの少なくとも１種類の同期パターンが、他の小ブロックに割り当てられる同期パターンと異なるように設定したことにより、第１の実施の形態における効果に加えて、シンクフレームの検出精度を向上することができる。すなわち、この場合、シンクフレームの位置を大まかに特定できていれば、検出される同期パターンの種類により同期パターンの誤検出を発見することができ、これによりシンクフレームの検出精度を向上することができる。
【００９６】
（７）他の実施の形態
なお上述の実施の形態においては、１セクタを２６シンクフレームにより構成する場合について述べたが、本発明はこれに限らず、１のブロックを種々のシンクフレームにより構成する場合に広く適用することができる。すなわち図１２及び図１３は、連続する２つの同期パターン、１つの同期パターンを間に挟んだ２つの同期パターンについて、１のセクタ内で同一の組み合わせが重複しないようにして、シンクフレームのフレーム数ｎを順次変化させた場合における最低限必要な同期パターンの数ｉ、その具体例（同期パターンの配列）を示す図表である。
【００９７】
なおこの図表においては、シンクパターンの種類を数字により示す。この図１２及び図１３に示す例は、セクタの開始フレーム以外にも、第１の同期パターン（０）を割り当てた場合である。またこの配列は、このセクタとこのセクタにおける同期パターンの配列を繰り返してなる続くセクタの先頭に配置される同期パターンとの間でも、連続する２つの同期パターン、１つの同期パターンを間に挟んだ２つの同期パターンにおいては、同一の組み合わせが重複しないようにし、これによりセクタの開始を簡易かつ確実に検出できるように設定した。
【００９８】
この図表により、最低限ｎ1/2 ＜ｉの関係を満足するように設定して、少ない同期パターン数により上述の実施の形態と同様に各シンクフレームを簡易かつ確実に特定できることがわかる。因みに、同期パターンの種類の増大による冗長度の増大を実用的な程度に低減する為には、２ｎ1/2 ＞ｉの関係をも満足する必要がある。これにより結局フレーム数ｎに対して同期パターンの数ｉを、ｎ1/2 〜２ｎ1/2 の範囲に設定して、上述の実施の形態と同様の効果を得ることができる。
【００９９】
また図１４は、図１２及び図１３の条件に加えて、各セクタの先頭フレームにだけ、第１の同期パターン（０）を設定する条件により、シンクフレームのフレーム数ｎを順次変化させた場合における最低限必要な同期パターンの数ｉ、その具体例（同期パターンの配列）を示す図表である。
【０１００】
このような各セクタの先頭フレームにだけ第１の同期パターン（０）を配置する場合、シンクフレーム数を２個に設定する場合を除き、最低限（ｎ−１）1/2 ＋１＜ｉの関係を満足するようにフレーム数を設定して、少ない同期パターン数により上述の実施の形態と同様に各シンクフレームを簡易かつ確実に特定できることがわかる。また実用的な上限値としては、２（（ｎ−１）1/2 ＋１）程度であり、これによりこの場合、フレーム数ｎに対して同期パターンの数ｉを、（ｎ−１）1/2 ＋１〜２（（ｎ−１）1/2 ＋１）の範囲に設定して、上述の実施の形態と同様の効果を得ることができる。
【０１０１】
また上述の実施の形態においては、図３について説明した同期パターンを配置する場合について述べたが、本発明はこれに限らず、種々の同期パターンに広く適用することができる。因みに、第２の実施の形態について上述した図７に示す配列においては、奇数フレームに第１〜第５の同期パターンが、偶数フレームに第６〜第９の同期パターンが割り当てられていることにより、奇数フレームと偶数フレームとで同期パターンの長さを変更しても、上述の実施の形態と同様の効果を得ることができる。
【０１０２】
また上述の実施の形態においては、連続する２つの同期パターン、連続する３つの同期パターンよりシンクフレームを特定する場合について述べたが、本発明はこれに限らず、連続する４つの同期パターンよりシンクフレームを特定してもよい。
【０１０３】
さらに上述の実施の形態においては、連続する２つの同期パターン、１つの同期パターンを間に挟んだ２つの同期パターンについて、１のセクタ内で同一の組み合わせが重複しないように設定した場合について述べたが、本発明はこれに限らず、実用上十分な場合には、連続する２つの同期パターンについてだけ１のセクタ内で同一の組み合わせが重複しないように設定してもよい。
【０１０４】
また上述の実施の形態においては、同期パターンにより各フレームを特定し、併せてＰＬＬ回路の同期を図れるようにする場合について述べたが、本発明はこれに限らず、シンクフレームを特定する識別パターンに広く適用することができる。
【０１０５】
さらに上述の実施の形態においては、光ディスクにＡＶデータを熱磁気記録する場合について述べたが、本発明はこれに限らず、相変化型の光ディスク、ライトワンス型の光ディスクにＡＶデータを記録する場合、さらには種々のデータを記録する場合に広く適用することができる。
【０１０６】
また上述の実施の形態においては、光ディスク装置に本発明を適用する場合について述べたが、本発明はこれに限らず、磁気記録媒体等の種々の伝送路を介して所望のデータを伝送する場合にも広く適用することができる。
【０１０７】
また上述の実施の形態においては、光ディスクでなる記録媒体に所望のデータを記録する場合について述べたが、本発明はこれに限らず、再生専用の記録媒体についても広く適用することができる。
【０１０８】
【発明の効果】
上述のように本発明によれば、少なくとも連続する同期パターンについて、またはこれに加えて１つの同期パターンを間に挟んで連続する同期パターンについて、他の箇所と異なる組み合わせによる同期パターンを割り当てることにより、簡易かつ確実に各フレームを特定することができる。
【図面の簡単な説明】
【図１】本発明の第１の実施の形態に係る光ディスク装置に適用される同期パターンの配置を示す図表である。
【図２】図１の配列が適用される光ディスク装置を示すブロック図である。
【図３】図１の同期パターンを示す図表である。
【図４】連続する同期パターンの関係を示す図表である。
【図５】１つの同期パターンを間に挟んだ連続する同期パターンの関係を示す図表である。
【図６】図２の光ディスク装置における復調部を詳細に示すブロック図である。
【図７】図１との対比により本発明の第２の実施の形態に係る光ディスク装置に適用される同期パターンの配置を示す図表である。
【図８】図１との対比により本発明の第３の実施の形態に係る光ディスク装置に適用される同期パターンの配置を示す図表である。
【図９】図１との対比により本発明の第４の実施の形態に係る光ディスク装置に適用される同期パターンの配置を示す図表である。
【図１０】図１との対比により本発明の第５の実施の形態に係る光ディスク装置に適用される同期パターンの配置を示す図表である。
【図１１】図１との対比により本発明の第６の実施の形態に係る光ディスク装置に適用される同期パターンの配置を示す図表である。
【図１２】同期パターンとフレーム数との関係を示す図表である。
【図１３】図１２の続きを示す図表である。
【図１４】特定のシンクフレームについてのみ１の同期パターンを割り当てる場合の、同期パターンとフレーム数との関係を示す図表である。
【図１５】従来の光ディスク装置におけるクラスタの構成を示す図表である。
【図１６】図１５のセクタの構成を示す図表である。
【符号の説明】
１……光ディスク装置、２……光ディスク、８、１５……メモリ、９……ＥＣＣエンコード部、１０……変調部、１４……復調部、１６……ＥＣＣデコード部、３１……フレーム番号デコーダ、３２……フレームカウンタ、３３……メモリ制御回路
【図１】
0003814966.tif 000002
【図２】
0003814966.tif 000003
【図３】
0003814966.tif 000004
【図４】
0003814966.tif 000005
【図５】
0003814966.tif 000006
【図６】
0003814966.tif 000007
【図７】
0003814966.tif 000008
【図８】
0003814966.tif 000009
【図９】
0003814966.tif 000010
【図１０】
0003814966.tif 000011
【図１１】
0003814966.tif 000012
【図１２】
0003814966.tif 000013
【図１３】
0003814966.tif 000014
【図１４】
0003814966.tif 000015
【図１５】
0003814966.tif 000016
【図１６】
0003814966.tif 000017